【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
送信装置から受信装置へ無線通信によりデータを単位送信データごとに送信する無線通信システムにおいて、
前記単位送信データを送信する単位送信期間を少なくとも第１および第２の部分期間に分割し、第２の部分期間での単位時間当たりの伝送データ量を第１の部分期間での単位時間当たりの伝送データ量より大きくしたことを特徴とする無線通信システム。
【請求項２】
送信データを単位送信データに分割して無線通信により単位送信データごとに送信する送信装置において、
送信データに対する誤り訂正符号化を行う符号化手段と、
この符号化手段の出力を変調する変調手段と、
この変調手段の出力を無線により送信する送信手段と、
前記単位送信データを送信する単位送信期間を少なくとも第１および第２の部分期間に分割し、第２の部分期間での単位時間当たりの伝送データ量を第１の部分期間での単位時間当たりの伝送データ量より大きくする制御手段と
を備えたことを特徴とする送信装置。
【請求項３】
前記第１の部分期間および第２の部分期間は予め定められていることを特徴とする請求項２記載の送信装置。
【請求項４】
前記第１および第２の部分期間は可変であり、
前記制御手段は、単位送信データの中に、当該単位送信データ内または次の単位送信データ内の前記部分期間の長さ情報を受信側へ通知する通知データを含めることを特徴とする請求項２記載の送信装置。
【請求項５】
前記制御手段は、前記第２の部分期間の符号化率を前記第１の部分期間の符号化率より上げるよう前記符号化手段を制御することを特徴とする請求項２記載の送信装置。
【請求項６】
前記制御手段は、送信データの送信開始からの所定個の単位送信データを送信した後の単位送信データについて前記第１および第２の部分期間の両方または前記第２の部分期間の符号化率をさらに上げるよう前記符号化手段を制御することを特徴とする請求項５記載の送信装置。
【請求項７】
前記単位送信期間は第１、第２および第３の部分期間を有し、前記制御手段は、第１から第３の部分期間へ符号化率を逐次上げるよう前記符号化手段を制御することを特徴とする請求項５記載の送信装置。
【請求項８】
前記制御手段は、前記第２の部分期間の変調方式を、前記第１の部分期間の変調方式に比べて多値化するよう前記変調手段を制御することを特徴とする請求項２または５記載の送信装置。
【請求項９】
前記制御手段は、送信データの送信開始からの所定個の単位送信データを送信した後の単位送信データについて前記第１および第２の部分期間の両方または前記第２の部分期間の変調方式をさらに多値化するよう前記変調手段を制御することを特徴とする請求項７記載の送信装置。
【請求項１０】
前記単位送信期間は第１、第２および第３の部分期間を有し、前記制御手段は、前記第１から第３の部分期間へ変調方式を逐次多値化していくよう前記変調手段を制御することを特徴とする請求項８記載の送信装置。
【請求項１１】
無線通信により送信されたデータを単位送信データごとに受信する受信装置において、
送信データを受信してベースバンド受信信号に変換する受信手段と、
前記ベースバンド受信信号のデータ部分に基づいてチャネル推定を行うチャネル推定手段と、
このチャネル推定手段により得られたチャネル推定値により前記ベースバンド受信信号に対してチャネル等化を行うチャネル等化手段と、
このチャネル等化手段の出力を所定の復調方式で復調する復調手段と、
この復調手段の出力を復号する復号手段と、
前記単位送信データを送信する単位送信期間内の第１の部分期間から第２の部分期間に移行するとき、第１の符号化率に対応する第１の復号方式から、より符号化率の高い第２の符号化率に対応する第２の復号方式に切り替えるよう前記符号化手段を制御する制御手段と
を備えたことを特徴とする受信装置。
【請求項１２】
無線通信により送信されたデータを単位送信データごとに受信する受信装置において、
送信データを受信してベースバンド受信信号に変換する受信手段と、
前記ベースバンド受信信号のデータ部分に基づいてチャネル推定を行うチャネル推定手段と、
このチャネル推定手段により得られたチャネル推定値により前記ベースバンド受信信号に対してチャネル等化を行うチャネル等化手段と、
このチャネル等化手段の出力を所定の復調方式で復調する復調手段と、
この復調手段の出力を復号する復号手段と、
前記単位送信データを送信する単位送信期間内の第１の部分期間から第２の部分期間に移行するとき、第１の変調方式に対応する第１の復調方式から、より多値化した第２の変調方式に対応する第２の復調方式に切り替えるよう前記復調手段を制御する制御手段と
を備えたことを特徴とする受信装置。
【請求項１３】
前記第１の部分期間および第２の部分期間は予め定められていることを特徴とする請求項１１または１２記載の受信装置。
【請求項１４】
前記第１および第２の部分期間は可変であり、
前記制御手段は、受信した単位送信データの中に含まれた通知データに基づいて、当該単位送信データ内または次の単位送信データ内の前記部分期間の長さを決定することを特徴とする請求項１１または１２記載の受信装置。
【請求項１５】
前記制御手段は、送信データの受信開始からの所定個の単位送信データを受信した後の単位送信データについて前記第１および第２の部分期間の両方または前記第２の部分期間の復号方式を、さらに高符号化率に対応する復号方式に切り替えることを特徴とする請求項１１記載の受信装置。
【請求項１６】
前記単位送信期間は第１、第２および第３の部分期間を有し、前記制御手段は、第１から第３の部分期間へ逐次高い符号化率に対応する復調方式に対応するよう前記復号手段を制御することを特徴とする請求項１１記載の受信装置。
【請求項１７】
前記制御手段は、前記第１の部分期間のデータの復調方式に比べて前記第２の部分期間の復調方式が、より多値化された変調方式に対応するよう前記復調手段を制御することを特徴とする請求項１２記載の受信装置。
【請求項１８】
前記制御手段は、送信データの受信開始からの所定個の単位送信データを受信した後の単位送信データについて前記第１および第２の部分期間の両方または前記第２の部分期間のデータの復調方式がさらに多値化された変調方式に対応するよう前記復調手段を制御することを特徴とする請求項１２記載の受信装置。
【請求項１９】
前記単位送信期間は第１、第２および第３の部分期間を有し、前記制御手段は、前記第１から第３の部分期間へ復調方式が、逐次多値化された変調方式に対応するよう前記復調手段を制御することを特徴とする請求項１２記載の受信装置。
【請求項２０】
送信データを単位送信データに分割して無線通信により単位送信データごとに送信する送信方法において、
送信データに対して誤り訂正符号化を行う符号化ステップと、
この誤り訂正符号化されたデータを変調する変調ステップと、
この変調出力を無線により送信する送信ステップと、
前記単位送信データを送信する単位送信期間を少なくとも第１および第２の部分期間に分割し、第２の部分期間での単位時間当たりの伝送データ量を第１の部分期間での単位時間当たりの伝送データ量より大きくする制御ステップと
を備えたことを特徴とする送信方法。
【請求項２１】
無線通信により送信されたデータを単位送信データごとに受信する受信方法において、
送信データを受信してベースバンド受信信号に変換する受信ステップと、
前記ベースバンド受信信号のデータ部分に基づいてチャネル推定を行うチャネル推定ステップと、
このチャネル推定ステップにより得られたチャネル推定値により前記ベースバンド受信信号に対してチャネル等化を行うチャネル等化ステップと、
このチャネル等化出力を所定の復調方式で復調する復調ステップと、
この復調出力を復号する復号ステップと、
前記単位送信データを送信する単位送信期間内の第１の部分期間から第２の部分期間に移行するとき、第１の符号化率に対応する第１の復号方式から、より符号化率の高い第２の符号化率に対応する第２の復号方式に切り替える制御ステップと
を備えたことを特徴とする受信方法。
【請求項２２】
無線通信により送信されたデータを単位送信データごとに受信する受信方法において、
送信データを受信してベースバンド受信信号に変換する受信ステップと、
前記ベースバンド受信信号のデータ部分に基づいてチャネル推定を行うチャネル推定ステップと、
このチャネル推定ステップにより得られたチャネル推定値により前記ベースバンド受信信号に対してチャネル等化を行うチャネル等化ステップと、
このチャネル等化出力を所定の復調方式で復調する復調ステップと、
この復調出力を復号する復号ステップと、
前記単位送信データを送信する単位送信期間内の第１の部分期間から第２の部分期間に移行するとき、第１の変調方式に対応する第１の復調方式から、より多値化した第２の変調方式に対応する第２の復調方式に切り替えるよう復調を制御する制御ステップと
を備えたことを特徴とする受信方法。